(57)【要約】【課題】快適な露点温度を蒸発器の配管温度の目標値とすることで、湿度センサを用いることなく快適な湿度環境を実現する空気調和装置の提供。【解決手段】ヒートポンプ手段の膨張弁開度と圧縮機回転数とを制御するヒートポンプ制御手段２０と、室内への送風量を補正する風量補正手段１６と、所望の室内空気温度設定を行う室内空気温度設定手段２２と、室温を検出する室内空気温度検出手段１３と、蒸発用熱交換器の配管温度を検出する配管温度検出手段５と、所定の時間区間における室内の放射温度分布の変化から人体の活動水準を検出する放射温度検出手段６とを備え、前記ヒートポンプ制御手段と、前記風量補正手段は、室温が所望の温度に近似した場合、蒸発用熱交換器の配管温度を所望の露点温度に近接させるように動作させ、前記露点温度は人体の活動水準に合わせて修正される構成としてある。【選択図】図２
2014052114.tif 000002
【特許請求の範囲】
【請求項１】
回転速度可変の圧縮機と凝縮用熱交換器と膨張弁と蒸発用熱交換器とを冷媒配管で結合し、前記冷媒配管内で冷媒を循環させて冷凍サイクルを構成するヒートポンプ手段と、
前記蒸発用熱交換器の風下側に設置され、前記蒸発用熱交換器を通して取り入れた空気を室内に空気を送り出す送風手段と、
入力された所望の室内空気温度を室内空気温度設定値として出力する室内空気温度設定手段と、
室内空気温度を検出する室内空気温度検出手段と、
前記蒸発用熱交換器に含まれるフィンまたは配管の温度を検出する配管温度検出手段と、室内における所望の水蒸気分圧を有する空気の露点温度を、前記配管温度の目標値として設定し、出力する配管温度設定手段と、
所定の時間区間における室内の放射温度分布の変化から人体の活動水準を検出する放射温度検出手段と、
前記室内空気温度と前記室内空気温度設定値とを比較し、かつ前記配管温度と前記目標値とを比較し、前記室内空気温度と前記室内空気温度設定値との差が所定の範囲内で、かつ、前記配管温度が前記目標値以下の場合に、前記配管温度を前記目標値を基準とする所定の範囲内に保持するように前記ヒートポンプ手段の膨張弁開度と圧縮機回転数とを制御するヒートポンプ制御手段と、
前記室内空気温度と前記室内空気温度設定値とを比較し、かつ前記配管温度と前記目標値とを比較し、前記室内空気温度と前記室内空気温度設定値との差が所定の範囲内で、かつ、前記配管温度が前記目標値以下の場合に、前記載送風手段から出力される風量を増加させる風量補正手段と、
を備えることを特徴とする空気調和装置。
【請求項２】
放射温度検出手段が少なくとも放射温度分布の変化の有無を判別し、「有」とした場合、目標値は変更前よりも低くすることを特徴とする請求項１記載の空気調和装置。
【請求項３】
ヒートポンプ手段は、除湿停止信号の出力を監視し、前記出力を検知した場合、配管温度を目標値を基準とする所定の範囲内に保持するように膨張弁を開き、圧縮機回転数を上昇させるように制御することを特徴とする請求項１または２記載の空気調和装置。
【請求項４】
風量補正手段は、室内空気温度と前記室内空気温度設定値との差が所定の範囲内で、かつ、前記配管温度が前記目標値以下の場合に、室内空気温度を入力し、室内空気温度の時間微分値が０を含む所定の範囲内に収まるように風量を変化させることを特徴とする請求項１〜３のいずれか１項に記載の空気調和装置。
【請求項５】
配管温度検出手段は、蒸発用熱交換器に含まれる配管のうち、冷媒の流れ方向に対して最下流の部位と、比較的上流の部位との少なくとも２箇所に設置された温度センサ群を備え、前記温度センサー群で検出された温度のうち、最低温度を配管温度として出力することを特徴とする請求項１〜４のいずれか１項に記載の空気調和装置。
【発明の詳細な説明】
【技術分野】
【０００１】
本発明は、冷凍サイクルを用いて室内空気の除湿を行う空気調和装置に関するものである。
【背景技術】
【０００２】
従来より、圧縮機、凝縮用熱交換器、膨張弁、室内熱交換器、およびこれらを接続して冷媒が流れる配管を有する空気調和装置において、温度センサに加え湿度センサを用いて、室内空気温度と相対湿度を制御目標とし、圧縮機回転数等の制御をするものがある（例えば、特許文献１参照）。
【０００３】
図４は特許文献１に記載された空気調和装置であり、この空気調和装置は、温度センサ１０１と湿度センサ１０２からなる湿球温度検出手段と、室内空気の湿球温度を設定する湿球温度設定手段（リモコン）１０３とを備え、前記湿球温度検出手段による湿球温度と前記湿球温度設定手段１０３よる湿球温度設定値の差を縮めるように、圧縮機１０４の回転速度を制御する。さらにこの空気調和装置においては、温度設定手段と湿度設定手段が備えられ、温湿度設定値と室内温湿度との差が小さくなるように、送風機１０５の回転数を制御することが示されている。
【先行技術文献】
【特許文献】
【０００４】
【特許文献１】特開２００６−２６６６７７号公報
【発明の概要】
【発明が解決しようとする課題】
【０００５】
上記特許文献１に記載の従来の空気調和装置では、湿度センサ１０２を必要とすることで、空気調和装置のコストを上げるという課題を有する他、所望の湿度を制御目標とする相対湿度制御を行うが、この場合、例えば、室内の相対湿度５０％ｒｈを目標値とし、室内空気の相対湿度５０％ｒｈが達成されたとしても、この時、室内空気温度が異なれば、５０％ｒｈという同じ指標値にも関わらず、人体への熱的影響が等価にはならず、快適性が得られないという課題を有する。
【０００６】
すなわち、温熱生理学的には、人体と空気の間で熱的平衡状態が成立し、体温調節に伴う生理的な負担が最も小さい状態が熱的中立状態と言われて快適な状態といえ、室内環境における快適性の一条件になっている。
【０００７】
平均的な人体がこの熱的中立状態であるときの室内空気側の水蒸気分圧は約２０ｈＰａである。人体表面の境界層における平均気温と相対湿度をそれぞれ３３℃、１００％ｒｈとした場合、水蒸気分圧は約５０ｈＰａなので、熱平衡状態における人体境界層と室内空気との水蒸気の分圧差は約３０ｈＰａである。水蒸気分圧差に依存して生じる、人体から空気側へ水分の移動は、感覚的には感知されないことから不感蒸泄とよばれ、人体の放熱の潜熱分を担っている。
【０００８】
相対湿度制御では、同じ５０％ｒｈでも気温が２９℃の場合、２０ｈＰａ、気温が２７℃なら約１８ｈＰａであり、この２℃の気温差によって分圧差は気温２９℃の３０ｈＰａから２７℃の場合３２ｈＰａへ約７％拡大する。皮膚血管の拡張あるいは収縮で２９℃と２７℃の環境における顕熱差に対しては熱的平衡が保たれる。一方、不感蒸泄の熱的平衡は、２９℃なら適切な水蒸気分圧差である３０ｈＰａが保たれるが、室内空気温度２７℃
では崩れ、体表面の水分蒸発による潜熱移動が増加することになる。この放熱が、冷房使用時の「冷え」や冷房の敬遠の一因にもなりえ、快適性を損ないうる。
【０００９】
特許文献１に記載の従来の空気調和装置のように一定の相対湿度を目標とする制御では、室内空気温度によって相対湿度の人体への影響が異なり、室内空気温度の設定値が比較的低い場合、不感蒸泄の平衡が崩れ、潜熱移動が増加して過度に体が冷却されるという課題がある。
【００１０】
人体からの放熱を促進させる必要がある場合は相対湿度制御も問題はない。しかし、長時間空調環境に曝されたり、発汗が止まり熱的中立状態になった人体においては、不感蒸泄による潜熱移動も平衡に保たれなければならない。また、不感蒸泄は感覚的に感知されにくく、人間自身が生理的に制御することもできない。したがって、不感蒸泄による潜熱移動の平衡状態は空気調和に大きく依存するという特徴がある。
【００１１】
本発明はこのような点に鑑みてなしたもので、快適な露点温度を蒸発器の配管温度の目標値とすることで、湿度センサを用いることなく快適な湿度環境を実現できるようにすることを目的としたものである。
【課題を解決するための手段】
【００１２】
上記目的を達成するために、本発明に係る空気調和装置は、回転速度可変の圧縮機と凝縮用熱交換器と膨張弁と室内に設置された蒸発用熱交換器を冷媒配管で結合し、前記冷媒配管内で冷媒を循環させて冷凍サイクルを構成するヒートポンプ手段と、入力された所望の室内空気温度を室内空気温度設定値として出力する室内空気温度設定手段と、室内空気温度を検出する室内空気温度検出手段と、前記蒸発用熱交換器に含まれる配管の配管温度を検出する配管温度検出手段と、室内における所望の水蒸気分圧を有する空気の露点温度を前記配管温度の目標値として設定し出力する配管温度設定手段と、所定の時間区間における室内の放射温度分布の変化から人体の活動水準を検出する放射温度検出手段と、前記室内空気温度と前記室内空気温度設定値とを比較し、かつ前記配管温度と前記目標値とを比較し、前記室内空気温度と前記室内空気温度設定値との差が所定の範囲内で、かつ、前記配管温度が前記目標値以下の場合に、前記配管温度を、前記目標値を基準とする所定の範囲内に保持するように前記ヒートポンプ手段の膨張弁開度と圧縮機回転数とを制御するヒートポンプ制御手段と、前記室内空気温度と前記室内空気温度設定値とを比較し、かつ前記配管温度と前記目標値とを比較し、前記室内空気温度と前記室内空気温度設定値との差が所定の範囲内で、かつ、前記配管温度が前記目標値以下の場合に、前記載送風手段から出力される風量を増加させる風量補正手段とを備え、前記放射温度検出手段が少なくとも放射温度分布の変化の有無を判別し、「有」とした場合、前記目標値を変更する構成としたものである。
【００１３】
これにより、室内空気温度が室内空気温度設定値に到達した場合、配管温度が所望の露点温度である配管温度の目標値を下回れば、ヒートポンプ制御手段が膨張弁開度と圧縮機回転数を制御し、風量補正手段が吹出し風量を増加させるので、室温の上昇を抑えながらも、配管温度を上げて除湿を緩和させ、湿度センサを設けていなくても快適な空調が可能となる。特に本発明では、放射温度検出手段によって、所定の時間区間における室内の放射温度分布の変化から人体の労作の程度を示す活動水準を検出するため、人体の労作に合わせて、所望の露点温度すなわち蒸発器の配管温度目標値を変更することができ、より効果的に快適な空調が可能となる。
【発明の効果】
【００１４】
本発明の空気調和装置によれば、室内の空気の露点温度を略一定に保ち、その空気における水蒸気分圧も一定となるので、ほぼ一定水準の体表面境界層との水蒸気分圧差が拡大
することを防ぐことができる。特に、単位体積あたりの表面積の大きな手先、足先において過剰な冷却を防ぐことができ、しかも、人体の労作に合わせて、所望の露点温度すなわち蒸発器の配管温度目標値を変更することができ、湿度センサを搭載することなく、室内空気の水蒸気分圧を一定に保ち、快適な温湿度環境、すなわち、快適な空調を実現できる。
【図面の簡単な説明】
【００１５】
【図１】本発明の実施の形態１に係る空気調和装置の構成図
【図２】同空気調和装置の制御ブロック図
【図３】同空気調和装置の除湿緩和動作に至る流れ図
【図４】従来の空気調和装置を示す構成図
【発明を実施するための形態】
【００１６】
第１の発明は、回転速度可変の圧縮機と凝縮用熱交換器と膨張弁と室内に設置された蒸発用熱交換器を冷媒配管で結合し、前記冷媒配管内で冷媒を循環させて冷凍サイクルを構成するヒートポンプ手段と、入力された所望の室内空気温度を室内空気温度設定値として出力する室内空気温度設定手段と、室内空気温度を検出する室内空気温度検出手段と、前記蒸発用熱交換器に含まれる配管の配管温度を検出する配管温度検出手段と、室内における所望の水蒸気分圧を有する空気の露点温度を前記配管温度の目標値として設定し出力する配管温度設定手段と、所定の時間区間における室内の放射温度分布の変化から人体の活動水準を検出する放射温度検出手段と、前記室内空気温度と前記室内空気温度設定値とを比較し、かつ前記配管温度と前記目標値とを比較し、前記室内空気温度と前記室内空気温度設定値との差が所定の範囲内で、かつ、前記配管温度が前記目標値以下の場合に、前記配管温度を、前記目標値を基準とする所定の範囲内に保持するように前記ヒートポンプ手段の膨張弁開度と圧縮機回転数とを制御するヒートポンプ制御手段と、前記室内空気温度と前記室内空気温度設定値とを比較し、かつ前記配管温度と前記目標値とを比較し、前記室内空気温度と前記室内空気温度設定値との差が所定の範囲内で、かつ、前記配管温度が前記目標値以下の場合に、前記載送風手段から出力される風量を増加させる風量補正手段とを備え、前記放射温度検出手段が少なくとも放射温度分布の変化の有無を判別し、「有」とした場合、前記目標値を変更する構成としたものである。
【００１７】
これにより、冷房運転の際、室内空気温度検出手段によって検出された室内空気温度と、室内空気温度設定値の比較を行い、室内空気温度が室内空気温度設定値に到達した場合、配管温度が所望の露点温度である配管温度の目標値を下回れば、ヒートポンプ制御手段が膨張弁開度と圧縮機回転数を制御し配管温度を上昇させ、風量補正手段が吹出し風量を増加させるので、室温の上昇を抑えながらも配管温度を上げて除湿を緩和させることができる。つまり、室内の空気の露点温度が所望の露点温度を下回る場合に、空気調和装置は顕熱比の高い高顕熱比冷房へ移行し、除湿を緩和することができる。また、露点温度を目標値とすることで、室内の空気の露点温度が所望の露点温度を上回る場合は所望の露点温度に達するまで除湿をすることが可能となり、空気調和装置により室内の空気の露点温度を目標の露点温度に近づけることが可能になる。
【００１８】
この所望の露点温度は、熱的快適性の観点から使用者の状態によって変化するが、本発明では放射温度検出手段によって人体の労作の程度を示す活動水準を検出するため、人体の労作に合わせて、所望の露点温度すなわち蒸発器の配管温度目標値を変更することができ、快適な空調が可能となる。例えば暑い室外から入室したばかりの人体や、労作中の人体は、放熱に対して産熱が過剰な鬱熱状態であったことから、室内空気においては、比較的大きな水蒸気分圧差すなわち低い露点温度が好まれる。一方、人体の産熱と放熱が平衡している場合はその状態が維持されることが適切であることから、室内空気には、前記の鬱熱状態の時よりも小さな水蒸気分圧差が求められ、比較的大きな水蒸気分圧差は使用者
に不快と評価される。本発明の空気調和装置は放射温度検出手段によって、所定の時間区間における室内の放射温度分布の変化から人体の労作の程度を示す活動水準を検出するため、人体の労作に合わせて、所望の露点温度すなわち蒸発器の配管温度目標値を変更することができ、湿度センサを搭載することなく、快適な空調が可能となるのである。
【００１９】
第２の発明は、第１の発明において、放射温度検出手段が少なくとも放射温度分布の変化の有無を判別し、「有」とした場合、目標値は変更前よりも低くする構成としてある。
【００２０】
これにより、第１の発明のように、湿度センサを搭載することなく、快適な温湿度環境の実現すなわち快適な空調が可能となる。
【００２１】
第３の発明は、第１または第２の発明において、ヒートポンプ手段は、除湿停止信号の出力を監視し、前記出力を検知した場合、配管温度を目標値を基準とする所定の範囲内に保持するように膨張弁を開き、圧縮機回転数を上昇させるように制御する構成としてある。
【００２２】
これにより、第１の発明のように、湿度センサを搭載することなく、快適な温湿度環境の実現すなわち快適な空調が可能となる。
【００２３】
第４の発明は、第１〜第３の発明において、風量補正手段は、室内空気温度と前記室内空気温度設定値との差が所定の範囲内で、かつ、前記配管温度が前記目標値以下の場合に、室内空気温度を入力し、室内空気温度の時間微分値が０を含む所定の範囲内に収まるように風量を変化させる構成としてある。
【００２４】
これにより、室温を一定に保ちながらも、配管温度を上げて除湿を緩和し、空気調和装置により室内の空気の露点温度を目標の露点温度に近づけることが可能になる。室内の空気の露点温度が一定に保たれる場合、その空気における水蒸気分圧も一定となるので、ほぼ一定水準の体表面境界層との水蒸気分圧差が拡大することを防ぐことができる。特に、単位体積あたりの表面積の大きな手先、足先において過剰な冷却を防ぐことができ、湿度センサを搭載することなく、室内空気の水蒸気分圧を一定に保ち、快適な温湿度を実現できる。
【００２５】
第５の発明は、第１〜第４の発明において、配管温度検出手段は、蒸発用熱交換器に含まれる配管のうち、冷媒の流れ方向に対して最下流の部位と、比較的上流の部位との少なくとも２箇所に設置された温度センサ群を備え、前記温度センサ群で検出された温度のうち、最低温度を配管温度として出力する構成としてある。
【００２６】
これにより、蒸発器配管温度の代表値を蒸発器の最低温度とすることができ、この温度が配管温度目標値に達した場合、蒸発器の温度を全域にわたって露点よりも高く保ち、除湿を完全に停止することが可能になり、より快適な空調が可能となる。
【００２７】
以下、本発明に係る実施の形態について、図面を参照しながら説明する。なお、この実施の形態によって本発明が限定されるものではない。
【００２８】
（実施の形態１）
図１は本発明の実施の形態１に係る空気調和装置の構成図である。この図１は、冷房時の冷凍サイクル図となっている。図２は同空気調和装置の制御ブロック図である。
【００２９】
図１、図２において、この空気調和装置は、大きくは室外機３と室内機１とそれらを接続する冷媒配管９から構成される。室内機１は、放射温度検出手段６と、蒸発用熱交換器
７と、送風手段１１と室内マイコン１５と室内空気温度検出手段１３と配管温度検出手段５とを備える。室内マイコン１５は本発明に係る風量補正手段１６（図２参照）が含まれる。室外機３は圧縮機２３とインバータ２１と膨張弁１７と凝縮用熱交換器２７と室外マイコン１９と室外送風機２５とを備える。室外マイコン１９は本発明に係るヒートポンプ制御手段２０（図２参照）が含まれる。
【００３０】
室外機３の黒矢印は本発明の実施の形態に係る空気調和装置による冷房運転時の冷媒の流れを示す。圧縮機２３の吐出口から吐出された冷媒は、凝縮用熱交換器２７に至る。凝縮用熱交換器２７において冷媒より低温の室外空気と熱交換して凝縮した冷媒は、膨張弁１７に至る。膨張弁１７において減圧し、温度低下した冷媒の蒸発用熱交換器７に至り、冷媒より高温の室内空気と熱交換して蒸発した冷媒は冷媒配管９を経て圧縮機２３の吸入口に戻る。
【００３１】
室内機１に設けられた室内空気温度検出手段１３は、室内機１に取り込まれる吸込み空気の通過経路に設置され、吸込み空気の温度を室内空気温度として検出し、配管温度検出手段５は、蒸発用熱交換器７を貫く冷媒配管に設置され冷媒の流れに対して最下流に位置し、蒸発用熱交換器７における冷媒配管の最低温度を配管温度として検出する。また、室内マイコン１５には図２に示すように本発明に係る室内空気温度設定手段２２と配管温度設定手段２４が含まれる。
【００３２】
室内空気温度設定手段２２および配管温度設定手段２４は、本実施の形態に係る空気調和装置の図示しないリモコンに含まれ、ユーザによって入力された室内空気温度設定値として、２６℃が室内空気温度設定手段に記憶され、配管温度設定手段には、所望の配管温度の目標値として１７．６℃という値が記憶されている。また室内マイコン１５には、室内空気温度と室内空気温度設定値との許容差ΔＴとして１．０℃という値が記憶されている。
【００３３】
図３は本実施の形態１にかかる空気調和装置が除湿緩和動作に移行を開始するときの条件判断を示す流れ図である。
【００３４】
本実施の形態１にかかる空気調和装置において、室外マイコン１９に含まれるヒートポンプ制御手段２０と、室内マイコン１５に含まれる風量補正手段１６は、開始Ｓ０とともに、室内空気温度設定手段２２および配管温度設定手段２４から出力される、室内空気温度設定値（２６℃）と配管温度目標値（１７．６℃）を入力し（Ｓ１）、室内空気温度検出手段１３によって検出された室内空気温度と、配管温度検出手段５で検出された蒸発用熱交換器７の室内配管温度を入力し（Ｓ３）、室内空気温度と室内空気温度設定値、室内配管温度と配管温度の目標値との比較を行い（Ｓ４）、室内空気温度と室内空気温度設定値との差が１．０℃未満で、かつ、室内配管温度が配管温度目標値１７．６℃を下回る場合に除湿緩和動作（Ｓ５）として、室内機の送風手段１１の回転数を増大させ風量を補正する。ヒートポンプ制御手段２０は、同様に除湿緩和動作（Ｓ５）として、膨張弁１７の開度を上げ、補正後の風量に合わせて室内配管温度が配管温度目標値１７．６℃に近似するように圧縮機２３の回転数を制御する。
【００３５】
室内空気温度３０℃、相対湿度９０％ｒｈ（露点温度２８．２℃）から、本実施の形態にかかる空気調和装置による冷房運転を開始し、運転開始と共にＳ０が実行されＳ１からＳ３までの入力処理が実行される。このとき、冷房運転開始直後は室内空気温度設定値２６℃と室内空気温度３０℃との差は許容差１．０℃以上になるので、冷房運転は変更されることなく処理はＳ３にもどされ引き続き室内空気温度と室内配管温度の監視が実行される。この状態では室内配管温度は配管温度目標値１７．６℃を下回っても許容され比較的に潜熱比の高い冷房運転が実行され、室内空気からの除湿も進行する。
【００３６】
冷房運転の継続と共に室温も下がり２７．０℃以下となり、かつ配管温度が１７．６℃を下回っている場合、ヒートポンプ制御手段２０は膨張弁開度を上げて膨張弁１７を開き蒸発用熱交換器７への冷媒供給量を増やす。同時に風量補正手段１６は送風手段１１の回転数を上げて、風量を増加させる。この時、ヒートポンプ制御手段２０は圧縮機２３の回転数を制御することにより、配管温度が１７．６℃を下回らない水準に移行させる。
【００３７】
以上のヒートポンプ制御手段２０および風量補正手段１６の除湿緩和動作により、蒸発圧力は上がり、蒸発用熱交換器７の配管温度を１７．６℃に近づけることができる。このとき吹出し温度は上昇し、室内空気と吹出し空気のエンタルピー差は小さくなるが、風量補正手段１６の除湿緩和動作の結果として、吹出し空気の風量は増大するので、室温の上昇を押さえることができる。
【００３８】
また、この時風量補正手段１６において、室内空気温度の監視を行い、一定の時間間隔における室内空気温度の変化率が０になるように風量を制御することによって、室内空気温度を除湿動作開始後も一定に保持することができる。この時、室内空気の露点温度が１７．６℃以上の場合は、引き続き本実施の形態にかかる空気調和装置では除湿が行われるが、１７．６℃を下回る場合は顕熱冷房となり除湿が停止される。つまり室内の空気の露点温度においては約１７．６℃となり、空気温度２６℃で水蒸気分圧を２０．１ｈＰａに保つことができ、人体境界層との水蒸気分圧差を約３０ｈＰａの快適な水準に保つことができる。
【００３９】
除湿緩和動作において、冷房能力が冷房負荷に不足する場合があり得るが、その場合、許容差「１．０℃」を設けたことによって除湿緩和動作を停止させることができる。除湿緩和動作を停止したのちは再び配管温度が配管温度目標値未満でも許容され、ヒートポンプ制御手段２０は、膨張弁開度を下げて蒸発器の配管温度を低下させ、室温の過昇を防ぐ。
【００４０】
ここで、本実施の形態の放射温度検出手段６は、室内機１に設置され、樹脂製の集光用フレネルレンズ、およびグリッド状に配列された５行３列、計１５個の単素子とからなる焦電型赤外線センサと、１０秒毎に焦電型赤外線センサからの出力を監視し、使用者の活動の有無を判定し出力する信号処理部から構成され、前記信号処理部は室内マイコン１５に含まれる。フレネルレンズは視野角７０℃の視野角を有しており、空気調和の対象である室内空間の大半をカバーする領域から集光した赤外線放射を焦電型赤外センサの配列に照射することで、本実施の形態においては室内空間を１５分割した各領域毎に放射温度の検出が可能である。
【００４１】
焦電型赤外線センサはその特性から、入射する赤外線に変化があった場合のみその電気特性が変化することから、各素子毎に端子間電圧の変化を検知することで放射熱源の空間分布の変化を検出できる。すなわち、１０秒間隔で監視する赤外線放射の空間分布において、２０分以上放射熱源の空間分布に変化がない場合、本実施の形態においては、使用者の状態について「安静状態」または「不在」と判定する。また、１０秒の時間間隔で、端子間電圧の変化する素子がある場合は使用者が室内において「活動中」と判定する。
【００４２】
この判定結果を受けて、本実施の形態に係るヒートポンプ制御手段２０と風量補正手段１６は、安静状態を基準として配管温度の目標値を１７．６℃とし、「活動中」は配管温度の目標値をそこから２℃下げて、上記同様の除湿緩和動作をおこなう。このとき、室内の空気の露点温度は最終的に１５．６℃となり、空気温度２６℃で水蒸気分圧は１７．７ｈＰａとなり、目標値を２℃低下させたことにより水蒸気分圧差は約８％拡大し、活動中の人体により適した空気調和が可能になる。
【００４３】
なお、前記配管温度検出手段５は、蒸発用熱交換器に含まれる配管のうち、冷媒の流れ方向に対して最下流の部位と、比較的上流の部位との少なくとも２箇所に設置し、前記２箇所の温度センサー群で検出された温度のうち、最低温度を配管温度として出力するように構成すると、蒸発器配管温度の代表値を蒸発器の最低温度とすることができ、効果的である。
【００４４】
以上の説明において、室内空気温度設定値２６℃、配管温度目標値１７．６℃、配管温度目標値の補正量を−２℃として例示したが、これらはそれぞれの設定値を限定するものではない。
【産業上の利用可能性】
【００４５】
本発明は、湿度センサを搭載することなく、室内空気の水蒸気分圧を一定に保ち、快適な温湿度環境を実現でき、冷凍サイクルを活用して湿度の調整をする空気調和装置に好適である。
【符号の説明】
【００４６】
１  室内機
３  室外機
５  配管温度検出手段
６  放射温度検出手段
７  蒸発用熱交換器
９  冷媒配管
１１  送風手段
１３  室内空気温度検出手段
１５  室内マイコン
１６  風量補正手段
１７  膨張弁
１９  室外マイコン
２１  インバータ
２２  室内空気温度設定手段
２３  圧縮機
２４  配管温度設定手段
２５  室外送風機
２７  凝縮用熱交換器
【図１】
2014052114.tif 000003
【図２】
2014052114.tif 000004
【図３】
2014052114.tif 000005
【図４】
2014052114.tif 000006